(57)【要約】【課題】安定性および安全性が高い状態で暖房効率の良い縦型温風装置を提供することを目的とする。【解決手段】縦長の温風吹出口３を設けた本体ケース１内の上方部に温風吹出口３に対向する空気加熱手段５を縦長に設け、空気加熱手段５の下方に、空気加熱手段５と上下方向に重なるように送風手段９を設けることにより、薄型で安定性が良く、安全性の高い縦型温風装置が得られる。【選択図】　図１
2004020146.tif 000002
【特許請求の範囲】
【請求項１】
側面または背面に本体側吸込口を設け、前面に温風吹出口を設けた本体ケースと、この本体ケース内の中央部または上方部に前記温風吹出口に面して設けられる空気加熱手段と、この空気加熱手段と通風ダクトを介して連通する送風手段とを備え、前記空気加熱手段を前記送風手段より上方位置に重ねて配設した縦型温風装置。
【請求項２】
縦長に設けられる温風吹出口と、この温風吹出口に対向して縦長に設けられる空気加熱手段と、この空気加熱手段の側方を通り非加熱状態で吸気されるファン側吸気口および通風ダクトを介して前記空気加熱手段に送風するファン側吹出口を設けた送風手段とを備えた請求項１記載の縦型温風装置。
【請求項３】
温風吹出口の下方部分に斜め下方に向け送風できる風向調整板を設けた請求項１または２記載の縦型温風装置。
【請求項４】
本体側吸込口の位置を空気加熱手段の位置とほぼ同一またはそれ以上高くした請求項２記載の縦型温風装置。
【発明の詳細な説明】
【０００１】
【発明の属する技術分野】
本発明は冬季の低温時に温風を送風して暖房をすることのできる縦型温風装置に関する。
【０００２】
【従来の技術】
従来、この種の縦型温風装置の一例として図４および図５に示されたものが知られていた。以下、その構成について図を参照しながら説明する。
【０００３】
図に示すように、前面の下方に温風吹出口１０１を設け、背面の上部に吸込口１０２を設けた本体ケース１０３の内部に吸込口１０２から温風吹出口１０１に至る空気流路１０４内にモーター１０５により駆動されるファン１０６よりなる送風機１０７を設け、温風吹出口１０１近傍の空気流路１０４内にヒーター１０８を設けていた。
【０００４】
そして、運転時に、ヒーター１０８に通電され送風機１０７が運転されると、吸込口１０２から吸い込まれた空気が送風機１０７を介して温風吹出口１０１に向かい送られる。このとき、空気流路１０４内に設けたヒーター１０８により加熱され、加熱された空気が温風となって温風吹出口１０１より吹き出されて暖房が行われることとなる。
【０００５】
【発明が解決しようとする課題】
このような従来の縦型温風装置では、温風吹出口１０１が本体ケース１０３の下方位置に横長状態にあるため、温風吹出口１０１より吹き出された温風により、床面に置かれた座布団などの障害物が温風吹出口１０１に対向すると温風吹出口１０１からの温風吹出量が阻害され、温風吹出口１０１の近傍および障害物が異常に温度上昇するという課題があり、床面付近に座布団などの障害物が置かれても、温風吹出口の近傍や障害物が異常に加熱されないことが要求されている。
【０００６】
また、ヒーター１０３が下方に設けられ、送風機１０７がヒーター１０８の上方に配置されているため、重量の重い送風機１０７が上方に位置することとなり、重心位置が高くなって転倒し易い条件であるため、特に本体ケースを縦長にすると不安定になるという課題があり、本体ケースを縦長形状とした場合でも製品の安定性を高めることが要求されている。
【０００７】
また、使用者がいすに座っている場合には、足元のみに温風が当たり身体に温風が当たる度合が小さく暖房効果が低いという課題があり、さらに高い範囲に温風を吹き出して暖房効果を高めることが要求されている。
【０００８】
本発明は、このような従来の課題を解決するもので、安全性および安定性が高い状態で暖房効果を高めることのできる縦型温風装置を提供することを目的としている。
【０００９】
【課題を解決するための手段】
本発明の縦型温風装置は上記目的を達成するために、側面または背面に本体側吸込口を設け、前面に温風吹出口を設けた本体ケースと、この本体ケース内の中央部または上方部に前記温風吹出口に面して設けられる空気加熱手段と、この空気加熱手段と通風ダクトを介して連通する送風手段とを備え、前記空気加熱手段を前記送風手段より上方位置に重ねて配設したものである。
【００１０】
【発明の実施の形態】
本発明は、側面または背面に本体側吸込口を設け、前面に温風吹出口を設けた本体ケースと、この本体ケース内の中央部または上方部に前記温風吹出口に面して設けられる空気加熱手段と、この空気加熱手段と通風ダクトを介して連通する送風手段とを備え、前記空気加熱手段を送風手段より上方位置に重ねて配設した縦型温風発生装置としたものであり、温風吹出口は本体ケースの上方位置に設けられることにより、温風吹出口の前方に座布団などの障害物があっても温風吹出量に変化を生じることがなく、温風吹出口の近傍や障害物の異常加熱が防止できるという作用を有する。また、重量大なる送風手段が本体ケース内の下方部に配置されることにより重心位置が下がり、安定性を保つことができるという作用を有する。
【００１１】
以下、本発明の実施例について図面を参照しながら説明する。
【００１２】
【実施例】
（実施例１）
図１〜図３に示すように、前ケース１ａと後ケース１ｂを接合して形成される本体ケース１の側面または背面に本体側吸込口２を設け、本体ケース１の前面には縦長の温風吹出口３を設け、温風吹出口３には横機を間隔を設けて形成した吹出グリル４を設ける。温風吹出口３に対向して縦長のセラミックヒーターよりなる空気加熱手段５と、空気加熱手段５の前方には格子状の保護グリル６と、保護グリル６の下方部分に温風吹出口３の下方部分に対応する斜め下方に向け送風できる風向調整板７とを、前後が開口した筒状のヒーターケース８内に設け、さらにヒーターケース８を本体ケース１の中央部から上方部に設けられる温風吹出口３に面して上流側に配設する。
【００１３】
そして、空気加熱手段５を設けたヒーターケース８の下方には、モーター９ａにより駆動されるファン９ｂを設けた送風手段９を設け、送風手段９のファン側吸気口１０は空気加熱手段５を設けたヒーターケース８の側方となる本体ケース１間の非加熱状態で吸気される空気の流路を介し、本体ケース１に設けた本体側吸込口２と連通させる。送風手段９のファン側吹出口１１は通風ダクト１２を介してヒーターケース８内と連通させ、空気加熱手段５に送風できるように設ける。
【００１４】
また、本体側吸込口２の高さ位置を空気加熱手段５の高さ位置とほぼ同一またはそれ以上高い位置に設け、空気加熱手段５と送風手段９は上下に重なるように配設し、本体ケース１の上面部分には操作部１３を設け構成する。
【００１５】
上記構成において、操作部１３を操作して縦型温風装置を運転すると、空気加熱手段５に通電され、送風手段９が運転され、本体側吸込口２より吸気された空気は、空気加熱手段５を設けたヒーターケース８の側方を通り非加熱状態の空気が送風手段９のファン側吸気口１０に吸気され、ファン側吹出口１１より送風される。通風ダクト１２を介してヒーターケース８内に設けた空気加熱手段５により加熱された温風は保護グリル６を通り縦長に設けた温風吹出口３より吹き出される。このとき、保護グリル６と温風吹出口３間に配設される状態の風向調整板７により保護グリル６の下方部分に送られた温風は、風向調整板７により温風吹出口３の下方部分に斜め下方に向け送風され、温風吹出口３の下方部分から斜め下方の床面に向け送風されることとなる。
【００１６】
このように本発明の実施例１の縦型温風装置によれば、側面または背面に本体側吸込口２を設け、前面の上方部に温風吹出口３を設けて本体ケース１を形成し、本体ケース１内の上方部には空気加熱手段５を設け、空気加熱手段５の下方には本体側吸込口２より吸気し、空気加熱手段５を介して温風吹出口３に送風する送風手段９を設け、空気加熱手段５と送風手段９を上下方向に重ねて配設したので、本体ケース１を薄型に形成することができるとともに、重量大なる送風手段９が下方部に配設されることにより製品の重心位置が下がり、本体形状を縦長形状としても製品の安定性を維持することができる。
【００１７】
そして、温風吹出口３が本体ケース１の上方部に設けられることにより、温風吹出口３の近傍の床面に座布団などの障害物が置かれても、温風吹出口３が閉鎖されたり、開口面積が減少したりすることがなく、また温風吹出口の近傍や障害物が異常加熱される危険性もなく、安全に使用することができる。
【００１８】
また、温風吹出口３を縦長に形成し、温風吹出口３に対向して縦長の空気加熱手段５を設け、空気加熱手段５を設けたヒーターケース８の側方を通り非加熱状態で吸気されるファン側吸気口１０と、通風ダクト１２を介して空気加熱手段５に送風するファン側吹出口１１を設けた送風手段９を備えたので、使用者がいすに座っている場合においても、上下方向に縦長状態の温風が送風され、使用者に効率良く暖かい風を送り、暖房効果を高めることができる。
【００１９】
そして、運転停止時や、送風手段９のみが故障等により停止した異常状態になった場合においても、空気加熱手段５により加熱された加熱空気が逆流して送風手段９のファン側吸気口１０から本体ケース１内に侵入するのが防止でき、本体ケース１内および電装部品などの熱的劣化を未然に防止して安全性を高めることができる。
【００２０】
また、ヒーターケース８に設けた保護グリル６の下方部分に温風吹出口３の下方部に斜め下方に向け送風できる風向調整板７を設けたので、空気加熱手段５で加熱された温風は縦長の温風吹出口３より吹き出されるとともに、風向調整板７により床面方向にも積極的に送風されることとなり、送風範囲が拡大し、使用者の足元から広い高さ範囲に温風を供給することができ暖房効果を高めることができる。
【００２１】
また、本体側吸込口２の位置を空気加熱手段５の設けられる高さ位置とほぼ同一またはそれ以上の高い位置に設けたので、空気加熱手段５から本体ケース１内に輻射または伝導により伝わり滞留する熱気は、本体側吸込口２より流入する吸気流により搬送され、本体ケース１内が冷却されて温度上昇が緩和され、本体ケース内の電装部品などの熱劣化を防ぎ、安全性を確保できるとともに、製品を長寿命化することができる。
【００２２】
【発明の効果】
以上の実施例から明らかなように、本発明によれば側面または背面に本体側吸込口を設け、前面に温風吹出口を設けた本体ケースと、この本体ケース内の中央部または上方部に前記温風吹出口に面して設けられる空気加熱手段と、この空気加熱手段と通風ダクトを介して連通する送風手段とを備え、前記加熱手段を前記送風手段より上方位置に重ねて配設したので、縦長形状の本体ケースの安定化を図るとともに、安全性の高い効果のある縦型温風装置を提供できる。
【００２３】
また、縦長に設けられる温風吹出口と、この温風吹出口に対向して縦長に設けられる空気加熱手段と、この空気加熱手段の側方を通り非加熱状態で吸気されるファン側吸気口および通風ダクトを介して前記空気加熱手段に送風するファン側吹出口を設けた送風手段とを備えたので、いすに座った使用者に合わせて上下に巾広く暖かい風を送り暖房することができ、また、運転停止時や、送風手段の異常停止時に加熱空気が逆流して本体ケース内に侵入するのを防止することができる。
【００２４】
また、温風吹出口の下方部分に斜め下方に向け送風できる風向調整板を設けたので、送風範囲が拡大して暖房効果が高められる。
【００２５】
また、本体側吸込口の位置を空気加熱手段の位置とほぼ同一またはそれ以上高くしたので、空気加熱手段から本体ケース内に伝わり滞留する熱気を吸気気流とともに取り除き、本体ケース内を冷却して内装部品の熱劣化を予防し、製品の安全性、耐久性を高めることができる。
【図面の簡単な説明】
【図１】本発明の実施例１の縦型温風装置の断面図
【図２】同縦型温風装置の斜視図
【図３】同縦型温風装置の前ケースを取り外した状態の正面図
【図４】従来の縦型温風装置の斜視図
【図５】同縦型温風装置の断面図
【符号の説明】
１　　本体ケース
２　　本体側吸込口
３　　温風吹出口
５　　空気加熱手段
７　　風向調整板
９　　送風手段
１０　ファン側吸気口
１１　ファン側吹出口
１２　通風ダクト
【図１】
2004020146.tif 000003
【図２】
2004020146.tif 000004
【図３】
2004020146.tif 000005
【図４】
2004020146.tif 000006
【図５】
2004020146.tif 000007